(57)【特許請求の範囲】
【請求項１】
内視鏡に照明光を供給するための内視鏡用光源装置であって、
複数の光源ランプと、
前記複数の光源ランプの各々が切れているか否かを検知する検知手段と、
前記光源ランプの交換が必要であることを通知するための警告画面をモニタに表示させる表示手段と、を備え
前記表示手段は、前記検知手段において、前記複数の光源ランプのうち、前記内視鏡に照明光を供給する位置に配置されたメインランプ以外の光源ランプが切れていることが検知された場合であって、前記内視鏡が前記内視鏡用光源装置に接続されている場合には、前記警告画面をモニタに表示せず、前記内視鏡が前記内視鏡用光源装置に接続されていない場合には、前記警告画面をモニタに表示させることを特徴とする内視鏡用光源装置。
【請求項２】
前記検知手段の検知結果に基づいて、前記警告画面を生成する、警告画面生成手段をさらに備えることを特徴とする請求項１に記載の内視鏡用光源装置。
【請求項３】
前記警告画面は、交換が必要な光源ランプの位置を特定するための表示を含むことを特徴とする、請求項１または請求項２に記載の内視鏡用光源装置。
【請求項４】
前記警告画面は、前記光源ランプの交換方法に関する表示を含むことを特徴とする、請求項１から請求項３のいずれか一項に記載の内視鏡用光源装置。
【請求項５】
前記警告画面は、前記内視鏡が前記内視鏡用光源装置に接続された場合に、前記モニタから消去されることを特徴とする、請求項１から請求項４のいずれか一項に記載の内視鏡用光源装置。
【請求項６】
前記警告画面は、前記検知手段にて、前記複数の光源ランプのいずれも切れていないことが検知されるまで、前記モニタに表示され続けることを特徴とする、請求項１から請求項４のいずれか一項に記載の内視鏡用光源装置。
【請求項７】
前記警告画面は、前記内視鏡が前記内視鏡用光源装置に接続された場合に、子画面表示に切り替えられることを特徴とする、請求項１から請求項４のいずれか一項に記載の内視鏡用光源装置。
【請求項８】
前記内視鏡用光源装置の筺体には、前記光源ランプを交換するための開口部が設けられており、
前記複数の光源ランプは、交換が必要となった光源ランプが前記開口部の近傍に位置するように、前記筺体内に配置されることを特徴とする、請求項１から請求項７のいずれか一項に記載の内視鏡用光源装置。
【発明の詳細な説明】
【技術分野】
【０００１】
本発明は、内視鏡用光源装置、特に複数の光源ランプを備える内視鏡用光源装置に関する。
【背景技術】
【０００２】
一般に、患者の体内を診断又は治療するために、先端部に備えられた固体撮像素子で体内を撮像する内視鏡と、体内の観察部位を照明するための光を内視鏡に供給する光源装置と、内視鏡により撮像された画像信号を処理してモニタに出力するビデオプロセッサとからなる内視鏡システムが実用に供されている。また、内視鏡システムにおいて、ビデオプロセッサと光源装置とが一体型の装置として構成されることも広く知られている。そして、一般的な内視鏡システムの光源装置では、光源ランプとして、ハロゲンランプやキセノンランプ等の白色ランプが用いられる。これらの光源ランプは、時間の経過とともに光量が低下し、特に、キセノンランプに比べて安価なハロゲンランプの場合は、点灯寿命が非常に短くなっている。そのため、内視鏡による検査や、施術中に光源ランプが寿命または故障によって消灯した場合には、新しい光源ランプへの交換が行われる。
【０００３】
ここで、内視鏡による体内の観察中に光源ランプが消灯したときには、ランプ交換のために、内視鏡による観察を中断しなければならない。このような観察の中断は患者に負担を掛けるだけでなく診断効率も落ちるので、でき得る限り避けられるべきである。そこで、例えば、特許文献１では、内視鏡用光源装置に２つの光源ランプを設け、一方の光源ランプが切れたときには、他方の光源ランプに直ちに切り替え得るようにすることが提案されている。このような内視鏡用光源装置では、ターンテーブル上に２つの光源ランプが設置され、このターンテーブルから延びる操作ハンドルを手動操作することにより、内視鏡に光学的に接続される光源ランプを切り替えることができる。このような内視鏡用光源装置を用いれば、一方の光源ランプが切れても、内視鏡による観察を実質的に中断することなく続行することが可能である。
【０００４】
また、特許文献２には、光源ランプの交換が必要であることをユーザに通知するための構成を備えた内視鏡システムが開示されている。本文献の内視鏡システムでは、光源部およびビデオプロセッサ部等からなるユニット本体において、光源ランプが切れたことを自動的に検知し、サブの光源ランプに切り替えて観察を継続させる。また、その際には、光源ランプの交換が必要であることや光源ランプの交換方法などを、ユニット本体に設けられたタッチパネルに表示させることにより、ユーザに対して、ランプの交換を促すことが可能となっている。
【先行技術文献】
【特許文献】
【０００５】
【特許文献１】実開平７−２７０１２号公報
【特許文献２】特許第３７７１９５９号
【発明の概要】
【発明が解決しようとする課題】
【０００６】
しかしながら、通常、内視鏡観察の際には、術者はモニタに表示される体内画像を観察しながら内視鏡の操作を行う。そして、観察中に、一方の光源ランプ（例えばランプＡ）が切れた場合には、他方の光源ランプ（例えばランプＢ）に切り替えて、その後の観察を続ける。そのため、観察終了時には、術者がユニット本体に表示されているランプ交換の警告を見逃したり、光源ランプの交換が必要であることを忘れてしまうことがある。このような場合、切れてしまったランプＡが交換されないまま、ランプＢを用いた観察が行われ、観察中にランプＢも切れてしまった場合には、もう一方のランプＡと切り替えても観察を継続することができなくなってしまう。このように、内視鏡が体内に挿入された状態で、両方のランプが切れてしまった場合には、観察の中断により患者に負担を掛けるだけでなく、体内における内視鏡の状態を確認することができないため、内視鏡を患者の体内から取り出すことも困難となり、安全性の面においても問題である。
【０００７】
また、実際の光源ランプの交換は、観察終了後や定期点検時などに内視鏡観察を行う術者（医者）ではなく、技師や看護師等によって行われる場合が多い。そのため、内視鏡用光源装置に複数の光源ランプが備えられている場合には、実際に光源ランプを交換する者が、複数ある光源ランプの内、いずれのランプの交換が必要であるかを１つずつ確認しながら特定する必要があり、大変手間であった。
【０００８】
そこで、本発明は上記事情に鑑みてなされたものであり、光源ランプを適切に且つ容易に交換することが可能な内視鏡用光源装置を提供することを目的とする。
【課題を解決するための手段】
【０００９】
上記の課題を解決するため、本発明により、内視鏡に照明光を供給するための内視鏡用光源装置であって、複数の光源ランプと、複数の光源ランプの各々が切れているか否かを検知する検知手段と、光源ランプの交換が必要であることを通知するための警告画面をモニタに表示させる表示手段と、を備え、表示手段は、検知手段において、複数の光源ランプのうち、内視鏡に照明光を供給する位置に配置されたメインランプ以外の光源ランプが切れていることが検知された場合であって、内視鏡が内視鏡用光源装置に接続されている場合には、警告画面をモニタに表示せず、内視鏡が内視鏡用光源装置に接続されていない場合には、警告画面をモニタに表示させることを特徴とする内視鏡用光源装置が提供される。
【００１０】
このように構成することにより、少なくとも１つの光源ランプが切れた状態において、内視鏡が内視鏡用光源装置から取り外されると、モニタに警告画面を表示させることができる。これにより、体内観察の終了時に光源ランプの交換が必要であることを再度術者に認識させることが可能となり、観察中に、内視鏡用光源装置が備える全ての光源ランプが切れてしまうことを防ぐことができる。また、体内観察を行わない者が内視鏡用光源装置を操作する際においても、ランプ切れが検知されている場合には、モニタに警告画面が表示されることにより、光源ランプの交換が必要であることを容易に認識することができる。
【００１１】
また、上記内視鏡用光源装置は、検知手段の検知結果に基づいて、警告画面を生成する、警告画面生成手段をさらに備える構成としても良い。
【００１２】
また、上記警告画面は、交換が必要な光源ランプの位置を特定するための表示、および光源ランプの交換方法に関する表示を含むものであっても良い。このように構成することにより、複数の光源ランプの内、交換が必要な光源ランプがどれであるかを、誰でも一目で認識することが可能となり、ランプ交換作業における手間を軽減することができる。
【００１３】
また、上記表示手段は、検知手段によって複数の光源ランプの全てが切れていると検知された場合には、内視鏡が内視鏡用光源装置に接続されているかどうかに関係なく、モニタに警告画面を表示させるものであっても良い。このように構成することにより、光源ランプが全て切れている状態では、体内観察を行えないようにすることができる。
【００１４】
また、上記警告画面は、内視鏡が内視鏡用光源装置に接続された場合に、モニタから消去されるものであっても良い。このように構成することにより、警告画面により、被写体像の表示を妨げることを防ぐことができる。
【００１５】
また、上記警告画面は、検知手段にて、複数の光源ランプのいずれも切れていないことが検知されるまで、モニタに表示され続けるものであっても良い。このように構成することにより、体内観察中に全ての光源ランプが切れてしまうという事態の発生を防ぐことが可能となる。
【００１６】
また、上記警告画面は、内視鏡が内視鏡用光源装置に接続された場合に、子画面表示に切り替えられるものであっても良い。このように構成することで、体内観察における被写体像の表示を妨げることなく、ランプの交換が必要であることを術者に認識させることが可能となる。
【００１７】
また、上記内視鏡用光源装置の筺体には、光源ランプを交換するための開口部が設けられており、上記複数の光源ランプは、交換が必要となった光源ランプが開口部の近傍に位置するように、筺体内に配置される構成であっても良い。このように構成することにより、開口部から容易に光源ランプを交換することが可能となる。
【発明の効果】
【００１８】
したがって、本発明によれば、光源ランプの交換が必要であることを的確に通知することができるとともに、光源ランプの交換作業を容易にすることが可能となる。
【図面の簡単な説明】
【００１９】
【図１】本発明の実施形態におけるプロセッサの外観図である。
【図２】本発明の実施形態におけるプロセッサの内部構成を示す図である。
【図３】本発明の実施形態における光源ランプの取り付け状態を示す斜視図である。
【図４】本発明の実施形態における体内観察の流れを示すフローチャートである。
【図５】モニタに表示される警告画面の例を示す図である。
【発明を実施するための形態】
【００２０】
以下、図面を参照して、本発明の実施形態について説明する。
【００２１】
図１は、本発明に係る内視鏡用光源装置を含むプロセッサ２０の外観図である。図１に示されるように、プロセッサ２０は筐体２００に覆われており、筐体２００の外装側面には、後述する光源ランプの交換の際に用いられる開口部２０１と、開口部２０１を覆うランプ扉２０２が設けられている。また、ランプ扉２０２は、ねじ２０３によって着脱可能に筐体２００に取り付けられている。さらに、開口部２０１の近傍には、後述する回転盤２１４を回転させて、光源ランプの位置を切り替えるためのランプ切替ボタン２０８が設けられている。
【００２２】
また、プロセッサ２０の外装正面には、内視鏡のライトガイドを接続するためのライトガイド接続部２０４、内視鏡を電気的に接続して給電及び通信を行なうための電気接続部２０５、術者等のユーザによる操作を受け付ける各種の操作ボタンやプロセッサ２０の動作状況を表示するインジケータ等を備えるフロントパネル２０６、およびプロセッサ２０の主電源スイッチ２０７等が設けられている。
【００２３】
図２は、図１に示されるプロセッサ２０の内部構成図である。尚、図２においては、プロセッサ２０に着脱自在に接続され、プロセッサ２０とともに本実施形態の内視鏡システムを構成する、内視鏡１０およびモニタ３０が図示されている。内視鏡１０およびモニタ３０は、一般的な撮像機能を備える電子内視鏡および一般的な受像機能を備える表示装置であり、詳細な構成については説明を省略する。
【００２４】
プロセッサ２０は、プロセッサ２０の各部を統括的に制御する制御回路２１１、内視鏡１０から送られる画像信号に所定の画像処理を施してモニタ３０に出力する画像処理回路２１２、内視鏡１０に照明光を供給するための２つの光源ランプ２１３ａおよび２１３ｂ、各光源ランプが取り付けられた回転盤２１４、点灯している光源ランプを空冷して制限温度以上に蓄熱するのを防ぐための冷却ファン２１５、および各光源ランプに給電するためのランプ電源２１６を備えている。また、本実施形態のプロセッサ２０は、光源ランプ２１３ａおよび２１３ｂの通電状態に基づいて、各光源ランプが切れているか否かを検知する検知回路２１７を備えている。プロセッサ２０の各部は、図示しないシステム電源により給電される。また、光軸ＡＸは内視鏡１０のライトガイド（不図示）の光軸を示す。ライトガイドの光軸は光源ランプの位置決めの指標となることから、光軸ＡＸは、プロセッサ２０の光学的中心軸ともいえる。
【００２５】
尚、本実施形態では、内視鏡１０に照明光を供給するための光源部（光源ランプ２１３ａ、２１３ｂ、およびランプ電源２１６等）と、内視鏡１０にて生成された画像信号を処理するための画像処理部（画像処理回路２１２等）が単一のプロセッサ２０内に実装される構成が採用されている。しかしながら、当該構成に限定されるものではなく、光源部を単体の光源装置としてプロセッサ２０から独立させた構成としても良い。
【００２６】
図３は、光源ランプ２１３ａおよび２１３ｂの取付け状態を示す斜視図である。ここで、図３は、回転板２１４をプロセッサ２０の背面側（すなわちフロントパネル２０６が設けられる面の反対側）から見た図である。尚、以降の説明において、ライトガイドの光軸ＡＸと平行な方向を光軸方向とし、筐体２００の底面と垂直な方向を垂直方向とする。
【００２７】
図３に示されるように、回転盤２１４は円盤形状を有しており、アルミなどの金属板によって形成される。そして、回転盤２１４は、筐体２００の底面に取り付けられたベース２４０に固定された回転盤支持部材２４１に回転可能に取り付けられている。具体的には、回転盤２１４の中心には、光軸方向に伸びるシャフト２１４ａが設けられており、シャフト２１４ａが回転盤支持部材２４１に設けられた軸受（不図示）に取り付けられている。これにより、回転盤２１４は、シャフト２１４ａを中心軸として回転可能となっている。また、このとき、回転盤２１４は、光源ランプ２１３ａおよび２１３ｂの取付け面が、光軸ＡＸと精確に垂直になるように配置される。さらに、回転盤２１４は、発光中の光源ランプの集光点が、ライトガイドの入射端と略一致するように、ライトガイド接続部１０３から光軸方向において適切な距離を隔てた位置に配置される。
【００２８】
また、回転盤２１４には、光源ランプからの照射光を遮らないように、開口部が２箇所設けられており（不図示）、光源ランプ２１３ａおよび２１３ｂは、これら開口部にそれぞれ位置決めされ、ランプ固定部材２４２によって、回転盤２１４に固定される。ランプ固定部材２４２は、回転盤２１４に取り付けられたガイド部材２４２ａと、ガイド部材２４２ａにスライドして取り付けられるスライド部材２４２ｂとからなる。そして、まず、光源ランプ２１３ａおよび２１３ｂは、スライド部材２４２ｂに取り付けられる。そして、光源ランプが取り付けられた状態のスライド部材２４２ｂを、ガイド部材２４２ａにスライドさせることにより、スライド部材２４２ｂとガイド部材２４２ａとの間で光源ランプ２１３ａおよび２１３ｂがそれぞれ固定される。また、スライド部材２４２ｂを逆方向にスライドさせてガイド部材２４２ａから取り外すことにより、光源ランプ２１３ａおよび２１３ｂを取り外すことができる。
【００２９】
また、回転盤２１４に固定された光源ランプは、一方の光源ランプから照射される照明光の光軸と、内視鏡１０のライトガイドの光軸ＡＸとが一致し、もう一方の光源ランプがライトガイドの光軸位置から退避するような位置に配置される。本実施形態では、照射される照明光の光軸が内視鏡１０のライトガイドの光軸ＡＸと一致するような位置に取り付けられる光源ランプをメインランプとし、もう一方のライトガイドの光軸位置から退避するような位置に取り付けられる光源ランプを予備ランプとする。すなわち、図２および図３においては、光源ランプ２１３ａがメインランプであり、光源ランプ２１３ｂが予備ランプである。
【００３０】
さらに、回転盤２１４は、モータなどの回転盤駆動機構２４３にギア等を介して接続されている。回転盤駆動機構２４３は、ランプ切替ボタン２０８の操作に基づいて、回転盤２１４を所定の回転量だけ回転させる。例えば、メインランプである光源ランプ２１３ａの光量が低下したり、消灯した場合には、術者等によってランプ切替ボタン２０８が操作される。これにより、回転盤駆動機構２４３によって回転盤２１４が回転され、光源ランプ２１３ａが光軸ＡＸ上から退避するとともに、光源ランプ２１３ｂが光軸ＡＸ上に配置される。このように、回転盤駆動機構２４３によって回転盤２１４を回転させることにより、内視鏡１０に照明光を供給するためのメインランプが短時間で効率よく切り替えられる。
【００３１】
また、寿命等により発光不可能となった光源ランプは、プロセッサ２０の筺体２００に設けられた開口部２０１から取り出され、新しいランプに交換される。一般的に、大型化を避けるために、プロセッサ２０の内部は交換のために必要最小限のスペースしか設けられていない。そのため、狭い作業スペースにおいて、開口部２０１から筐体２００内に手を挿入して、目視によって光源ランプを交換するのは非常に困難である。そのため、本実施形態においては、開口部２０１（ランプ扉２０２）の近傍に交換が必要な光源ランプが位置するような配置になっている。詳しくは、通常、メインランプを発光させて内視鏡１０による観察を行っている際に、メインランプが切れてしまった場合は、上述のように回転盤駆動機構２４３によって、光源ランプの位置が切り替えられる。これにより、予備ランプであった例えば光源ランプ２１３ｂがメインランプの位置に、そして切れたメインランプである光源ランプ２１３ａが予備ランプの位置へと移動する。そのため、メインランプの位置を開口部２０１から遠い位置とし、予備ランプの位置を開口部２０１に近い位置とすることで、交換が必要となった光源ランプを、開口部２０１に近い位置へと移動させることができる。これにより、容易に光源ランプを交換することが可能となる。
【００３２】
次に、上述のような内視鏡システム１における体内観察の流れについて説明する。図４は、本実施形態における体内観察の流れを示すフローチャートである。本処理では、まず、プロセッサ２０の主電源スイッチ２０７がＯＮされる（Ｓ１）。これにより、制御回路２１１の制御の下、ランプ電源回路２１６によってメインランプの位置に配置される光源ランプ２１３ａが給電される。
【００３３】
続いて、検知回路２１７にて、光源ランプ２１３ａおよび２１３ｂにおいて、ランプ切れが検知されたか否かが判断される（Ｓ２）。ここで、本実施形態では、寿命等により、光源ランプの発光部であるフィラメントが切れて発光不可能となった状態を、ランプが切れたと判断する。そして、ランプ切れを検知するために、使用される光源ランプ２１３ａ（メインランプ）だけでなく、現時点で発光する必要のない光源ランプ２１３ｂ（予備ランプ）にも、ランプ電源回路２１６から微弱電流が供給される。これにより、検知回路２１７では、光源ランプ２１３ａおよび２１３ｂに電流が流れているかを検知し、電流が流れていない場合、すなわちフィラメントが切れて通電していない状態をランプ切れとして検知する。
【００３４】
ここで、検知回路２１７によっていずれの光源ランプも切れていないと判断された場合は（Ｓ２：Ｎｏ）、光源ランプ２１３ａから供給される照明光を用いて、内視鏡１０による体内観察が行われる（Ｓ８）。詳しくは、まず、光源ランプ２１３ａから照射される光が、患者の体内に挿入された内視鏡１０のライトガイドを伝播され、観察対象に向かって、挿入部の先端から射出される。そして、内視鏡１０の先端に備えられた撮像素子によって、光の強度に応じた被写体像の画像信号が光電変換により生成される。内視鏡１０によって生成された画像信号は、所定時間間隔ごとにプロセッサ２０へ送られる。
【００３５】
プロセッサ２０では、内視鏡１０にて生成された画像信号が、制御回路２１１を介して画像処理回路２１２へ入力される。そして、画像処理回路２１２において、画像信号に対して、ホワイトバランスやブラックバランスの調整、ガンマ補正、エンハンス処理等が施され、モニタ３０に出力される。そして、モニタ３０にて、画像信号に基づいた被写体像が表示され、該被写体像から患者の体腔内の観察が行われる。その後は、再度Ｓ２に戻り、検知回路２１７による光源ランプのランプ切れが検知されるまで、通常の体内観察が行われる。
【００３６】
一方、Ｓ２において、光源ランプのランプ切れが検知された場合（Ｓ２：Ｙｅｓ）、続いて、プロセッサ２０が備える全ての光源ランプが切れているか否かが判断される（Ｓ３）。ここでは、本実施形態のように２つの光源ランプ２１３ａおよび２１３ｂを備える場合は、２つともがランプ切れであるか否かが判断される。そして、全ての光源ランプが切れていない場合、すなわち１つでも発光可能なランプがある場合は（Ｓ３：Ｎｏ）、続いて、プロセッサ２０に内視鏡１０が接続されているか否かが判断される（Ｓ４）。通常、観察終了時には、内視鏡１０がプロセッサ２０から取り外される。そのため、ここでは、内視鏡１０がプロセッサ２０に接続されているか否かを判断することによって、現在観察中であるか否かが判断される。内視鏡１０がプロセッサ２０に接続されているか否かは、ライトガイド接続部２０４、および電気接続部２０５に設けられたリミッタスイッチや、内視鏡１０と、制御回路２１１との通信結果等に基づいて判断される。
【００３７】
そして、現在観察中であり、プロセッサ２０に内視鏡１０が接続されている場合（Ｓ４：Ｙｅｓ）は、ランプ切れとされた光源ランプがメインランプであるか否かが判断される（Ｓ５）。ここで、ランプ切れとされた光源ランプがメインランプである場合（Ｓ５：Ｙｅｓ）は、術者にランプ切れを通知するための表示を行う（Ｓ６）。詳しくは、制御回路２１１によって、プロセッサ２０のフロントパネル２０６に設けられた、光源ランプが切れたことを示すインジケータが点灯される。尚、通常使用中のメインランプが切れた場合には、内視鏡１０による画像の取得ができなくなり、モニタ３０の表示が真っ暗になるなど、何らかの変化が生じる。そのため、モニタ３０を観察しながら内視鏡を操作する術者は、メインランプのランプ切れを容易に認識することが可能であり、Ｓ６におけるフロントパネル２０６上の表示は、省略することも可能である。
【００３８】
その後、術者によって、ランプ切替ボタン２０８が操作されることにより、回転盤２１４が回転される。これにより、メインランプである光源ランプ２１３ａが光軸ＡＸ上から退避するとともに、予備ランプである光源ランプ２１３ｂが光軸ＡＸ上に配置される。これにより、光源ランプ２１３ｂがメインランプへ、そして光源ランプ２１３ａが予備ランプへと切り替えられる（Ｓ７）。そして、光源ランプが切り替えられた後は、メインランプとなった光源ランプ２１３ｂから照射される光を用いて、内視鏡１０による体内観察が行われる（Ｓ８）。その後は、再度Ｓ２へと戻る。
【００３９】
一方、Ｓ５において、ランプ切れが検知されたのがメインランプではない場合、すなわち予備ランプが切れている場合は（Ｓ５：Ｎｏ）、光源ランプの切り替え等を行うことなくＳ８へと進み、引き続き、メインランプから照射される照明光による体内観察が行われる。
【００４０】
また、Ｓ２においてランプ切れが検知され（Ｓ２：Ｙｅｓ）、全てのランプが切れている場合（Ｓ３：Ｙｅｓ）、および内視鏡１０がプロセッサ２０に接続されていない場合（Ｓ４：Ｎｏ）は、モニタ３０の表示部３０ａに警告画面が表示される（Ｓ９）。図５は、本実施形態のモニタ３０に表示される警告画面を示す図である。図５に示すように、本実施形態の警告画面は、文字による警告表示ＷＤおよび図によるランプ位置表示ＬＤを含んでいる。
【００４１】
警告表示ＷＤには、光源ランプが切れていることだけでなく、光源ランプの交換方法に関する説明や、交換の際の注意事項等が含まれる。また、ランプ位置表示ＬＤには、プロセッサ２０における光源ランプの配置が含まれ、さらに当該光源ランプの配置において、複数の光源ランプの内、交換が必要な光源ランプがどれであるかを識別できるような表示が含まれる。例えば、交換が必要な光源ランプのみ、色を変えることなどが考えられる。図５の場合では、交換が必要なランプのみ斜線の塗りつぶしで表示される。
【００４２】
また、モニタ３０に表示される警告画面は、検知回路２１７によるランプ切れの検知結果に基づいて、制御回路２１１にて生成され、制御回路２１１が備える図示しないメモリに記憶される。そして、全てのランプが切れている場合（Ｓ３：Ｙｅｓ）、および内視鏡１０がプロセッサ２０に接続されていない場合（Ｓ４：Ｎｏ）には、メモリから警告画面データを読み出し、モニタ３０に出力して表示させる。
【００４３】
そして、警告画面の表示後は、プロセッサ２０の主電源スイッチ２０７がＯＦＦされたか否かが判断される（Ｓ１０）。そして、プロセッサ２０の主電源スイッチ２０７がＯＦＦされていない場合（Ｓ１０：Ｎｏ）、Ｓ２からＳ１０の処理が繰り返される。その後、光源ランプが交換され、発光可能な光源ランプを少なくとも１つ備えた状態において（Ｓ３：Ｎｏ）、内視鏡１０が接続されて体内観察が開始される場合（Ｓ４：Ｙｅｓ）、モニタ３０から警告画面が消去され、通常の体内観察における被写体像が表示される。一方、光源ランプが交換されずに、全てのランプが切れている場合（Ｓ３：Ｙｅｓ）、または、光源ランプが交換された場合であっても内視鏡１０が接続されていない場合は（Ｓ４：Ｎｏ）、警告画面が表示され続ける。
【００４４】
そして、プロセッサ２０の主電源スイッチ２０７がＯＦＦされることにより（Ｓ１０：Ｙｅｓ）、内視鏡システム１における体内観察処理が終了する。尚、図４のフローチャートにおいて、Ｓ１０における判定以外にも、主電源スイッチ２０７がＯＦＦされた時点で、割り込みで体内観察処理が終了する。
【００４５】
上述のように、本実施形態では、少なくとも１つの光源ランプが切れた状態において、内視鏡１０がプロセッサ２０から取り外されると、モニタ３０に警告画面を表示する構成となっている。これにより、体内観察を終了しようとして内視鏡１０をプロセッサ２０から取り外す際に、光源ランプの交換が必要であることを再度術者に認識させることが可能となる。また、体内観察を行わない技師等が定期点検の際などに、プロセッサ２０の主電源スイッチ２０７をＯＮした場合においても、プロセッサ２０にてランプ切れが検知された場合には、モニタ３０に警告画面が表示される。これにより、技師等が光源ランプの交換が必要であることを容易に認識することができる。
【００４６】
また、モニタ３０に警告画面を表示した場合であっても、内視鏡１０が接続され、体内観察が開始されるとともに、警告画面を消去する構成とすることにより、警告画面により、被写体像の表示を妨げることを防ぐことができる。このように、体内観察画像の表示を優先させることにより、緊急時等のランプの交換を行う時間がない場合においても、体内観察を行うことが可能となる。
【００４７】
さらに、警告画面には、ランプが切れていることを通知する警告文のほかに、複数の光源ランプの内、交換が必要な光源ランプがどれであるかを識別できるように、プロセッサ２０における光源ランプの配置図が含まれる。そのため、警告画面を確認することにより、誰でも一目で交換が必要な光源ランプがどれであるかを特定することが可能となり、ランプ交換作業における手間を軽減することができる。
【００４８】
以上が本発明の実施形態であるが、本発明は上記実施形態に限定されるものではなく、本発明の技術的思想の範囲において様々な変形が可能である。例えば、上記実施形態においては、２つの光源ランプを回転盤へ取り付けた場合に関するものであるが、本発明はこれに限定されるものではない。例えば、３つ以上の光源ランプを回転盤に取り付ける場合や、複数のランプ位置を切り替え可能な回転盤以外の機構を用いた場合にも本発明を適用することが可能である。
【００４９】
また、上記実施形態においては、モニタ３０に警告画面を表示した場合であっても、内視鏡１０が接続され、体内観察が開始されるとともに、警告画面を消去する構成としたが、これに限定されるものではない、例えば、検知回路２１７によってランプ切れが検知されなくなるまで、警告画面をモニタ３０に表示させ、体内観察を行うことができないような構成としても良い。このように構成することにより、体内観察中に全ての光源ランプが切れてしまうという事態の発生を防ぐことが可能となる。
【００５０】
また、内視鏡１０が接続され、体内観察が開始されるとともに、警告画面を子画面表示としたり、警告画面を半透明で生成し、体内画像に重畳させることも可能である。これにより、体内における内視鏡１０を確認できる状態とした上で、ランプの交換を術者に促すことが可能となる。
【符号の説明】
【００５１】
１０  内視鏡
２０  プロセッサ
３０  モニタ
２１１  制御回路
２１２  画像処理回路
２１３ａ、２１３ｂ  光源ランプ
２１４  回転盤
２１５  冷却ファン
２１６  ランプ電源
２１７  検知回路
【図１】
0005388730.tif 000002
【図２】
0005388730.tif 000003
【図３】
0005388730.tif 000004
【図４】
0005388730.tif 000005
【図５】
0005388730.tif 000006